【手続補正書】
【提出日】平成17年3月23日(2005.3.23)
【手続補正１】
【補正対象書類名】明細書
【補正対象項目名】特許請求の範囲
【補正方法】変更
【補正の内容】
【特許請求の範囲】
【請求項１】
図柄表示部毎に複数の図柄を変動表示する複数の図柄表示部をもつ図柄表示装置を備え、該図柄表示装置の各図柄表示部に停止表示された図柄の組合せが予め定められた大当り図柄であった場合に遊技者に利益を付与する遊技機において、
前記複数の図柄表示部を画面上を移動させて表示位置を変更する機能と、
各図柄表示部が移動後に停止したときの位置関係を決定するための乱数とを備えており、
前記大当り図柄として、移動後に停止した各図柄表示部に停止表示された図柄が同じ図柄の組合せからなる大当り図柄と、各図柄表示部に停止表示された図柄が少なくとも２種類の異なる図柄の組合せからなり、かつ、各図柄表示部の停止位置が特定の位置関係になった場合に各図柄表示部に停止表示された図柄の組合せ全体で１つの像が確定する大当り図柄とを有し、
各図柄表示部を前記画面上を移動させて前記表示位置を変更した後に、遊技者のスイッチ操作があると、前記各図柄表示部は、前記乱数から抽出した値に対応して決定された位置関係に従って移動を停止し、前記各図柄表示部における図柄の変動表示を停止し、各図柄表示部において停止表示された各停止図柄によって図柄の組合せを表示することを特徴とする遊技機。
【請求項２】
前記図柄の組合せには、同じ組合せでも、各図柄表示部の停止位置関係によって、図柄の組合せ全体で１つの像が確定する大当り図柄になったりハズレ図柄になったりする複数の組合せが存在することを特徴とする請求項１に記載の遊技機。
【請求項３】
遊技者に付与される利益が前記像の種類によって異なることを特徴とする請求項１または請求項２に記載の遊技機。
【手続補正２】
【補正対象書類名】明細書
【補正対象項目名】０００７
【補正方法】変更
【補正の内容】
【０００７】
【課題を解決するための手段】
上記課題を解決するため、請求項１に係る発明は、図柄表示部毎に複数の図柄を変動表示する複数の図柄表示部をもつ図柄表示装置を備え、該図柄表示装置の各図柄表示部に停止表示された図柄の組合せが予め定められた大当り図柄であった場合に遊技者に利益を付与する遊技機において、前記複数の図柄表示部を画面上を移動させて表示位置を変更する機能と、各図柄表示部が移動後に停止したときの位置関係を決定するための乱数とを備えており、前記大当り図柄として、移動後に停止した各図柄表示部に停止表示された図柄が同じ図柄の組合せからなる大当り図柄と、各図柄表示部に停止表示された図柄が少なくとも２種類の異なる図柄の組合せからなり、かつ、各図柄表示部の停止位置が特定の位置関係になった場合に各図柄表示部に停止表示された図柄の組合せ全体で１つの像が確定する大当り図柄とを有し、各図柄表示部を前記画面上を移動させて前記表示位置を変更した後に、遊技者のスイッチ操作があると、前記各図柄表示部は、前記乱数から抽出した値に対応して決定された位置関係に従って移動を停止し、前記各図柄表示部における図柄の変動表示を停止し、各図柄表示部において停止表示された各停止図柄によって図柄の組合せを表示するという技術的手段を用いる。
また、請求項２に係る発明は、請求項１に記載の遊技機において、前記図柄の組合せには、同じ組合せでも、各図柄表示部の停止位置関係によって、図柄の組合せ全体で１つの像が確定する大当り図柄になったりハズレ図柄になったりする複数の組合せが存在するという技術的手段を用いる。
また、請求項２に係る発明は、請求項１または請求項２に記載の遊技機において、遊技者に付与される利益が前記像の種類によって異なるという技術的手段を用いる。
【手続補正３】
【補正対象書類名】明細書
【補正対象項目名】０００９
【補正方法】変更
【補正の内容】
【０００９】
【発明の実施の形態】
本発明の請求項１に記載の発明は、各図柄表示部に出現する図柄（図柄列）は予め定められた図柄（図柄列）であるにも拘わらず、移動後の停止位置関係が特定の関係となるときのみ大当り図柄が得られるという作用を有する。
【手続補正４】
【補正対象書類名】明細書
【補正対象項目名】００１０
【補正方法】変更
【補正の内容】
【００１０】
また、遊技者のボタン操作があると、各図柄表示部は、乱数から抽出した値に対応して決定された位置関係に従って移動を停止するという作用を有する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００３３
【補正方法】変更
【補正の内容】
【００３３】
開放した普通電動役物３１に係る入賞口が第１種始動口としての機能を持つため、開放した普通電動役物３１に係る入賞口、或いは、図示していない中入賞口などの第１種始動口に遊技球が入賞すると、第１種始動処理として始動記憶数を確認し、４個未満であれば、その時点における０〜１６８コマの１６９コマからなる大当り特別乱数の値を抽出し格納すると共に、図柄表示部の移動後に停止したときの位置関係を選択決定処理する。各図柄表示部の位置関係は０〜３１の３２コマからなる位置関係決定乱数のその時点の値とに対応して決定され、０〜１５であれば左からＡＢＣの順、１６〜２５であればＢＣＡの順、２６〜３１であればＣＡＢの順となる。この抽出された表示位置乱数も大当り図柄の選択が行なわれるまで格納しておく。
【手続補正１０】
【補正対象書類名】明細書
【補正対象項目名】００３５
【補正方法】変更
【補正の内容】
【００３５】
図３を用いて特別図柄表示装置27の変動動作の概要について説明する。図３において、特別図柄表示装置27が変動可能状態であれば、特別図柄の変動を開始するとともに、画面上において各図柄表示部の移動がアニメーション風に行なわれる。まず、停止状態（ａ）から各表示部の図柄が変動状態（ｂ）に移ると共に、３つの図柄表示部が画面中央に集まり、あたかも盆踊りのように回転する。しばらく回転（ｃ）した後、位置関係決定乱数から抽出された値に基づいて選択決定された位置関係にそれぞれが順次配置（ｄ、ｅ、ｆ）される。
【手続補正１１】
【補正対象書類名】明細書
【補正対象項目名】００３８
【補正方法】変更
【補正の内容】
【００３８】
しかし、Ａ列の「桃」「魚」「道」、Ｂ列の「太」「秋」「雲」、Ｃ列の「郎」「刀」「入」は、図柄列の表示位置が特定の位置にある場合のみ大当り図柄となり、同じ組み合わせでも停止表示位置が異なればハズレ図柄として扱われる図柄である。
【手続補正１２】
【補正対象書類名】明細書
【補正対象項目名】００３９
【補正方法】変更
【補正の内容】
【００３９】
各図柄列の停止表示位置を左からＡＢＣの順に並べれば、「桃太郎」が大当り図柄となり、「魚秋刀」「道雲入」などはハズレ図柄となる。同様に、ＢＣＡの順に並べれば、「秋魚刀」が、ＣＡＢの順に並べれば、「入道雲」が大当り図柄となり、前述の「桃太郎」も「太郎桃」「郎桃太」となれば同一の図柄の構成ではあってもハズレ図柄となる。つまり、大当り図柄を構成する図柄が停止表示位置を変えることによってハズレ専用図柄としてしか機能しなくなる。このような図柄変化は、本発明によって初めて取り入れられたものであって、従来の表示方法にはない本発明の大きな特徴であり、従来ならハズレ専用図柄は常にハズレ専用図柄でしかなく、ハズレ専用図柄が３つ集まっても大当り図柄にはなり得なかった。
【手続補正１３】
【補正対象書類名】明細書
【補正対象項目名】００４０
【補正方法】変更
【補正の内容】
【００４０】
前述の事例のように図柄によって定められた特定の停止位置関係に並んだ場合のみ、明確な意味をなす言葉として理解されるような文字に限定されることなく、３つの図柄表示部に停止表示された３つの図柄全体で一つの像となり、イメージが確定し、遊技者に納得感を生むものであれば構わない。
【手続補正１４】
【補正対象書類名】明細書
【補正対象項目名】００４２
【補正方法】変更
【補正の内容】
【００４２】
また、配置される位置がランダムに決定される場合には、ＡＢＣ、ＡＣＢの場合に大当り図柄となる「バナナ」、ＡＢＣ、ＣＢＡの場合には「トマト」のように３つの図柄表示部が特定の位置関係ではなく、ある図柄列だけが特定の位置にあるときに大当りとなりうる図柄を使用してもよい。また、図柄列数は３つに限らない。
【手続補正１５】
【補正対象書類名】明細書
【補正対象項目名】００４４
【補正方法】変更
【補正の内容】
【００４４】
大当り図柄は大当りと判定された時点における「０」〜「８」の９コマからなる大当り図柄乱数の値に対応した組み合わせで決定され、「０」は「０００」、「１」は「１１１」、・・・のように決定される。ただし、「８」の場合は、そのときの停止位置の組み合わせによって（位置関係決定乱数から抽出した値によって）ＡＢＣであれば「桃太郎」、以下ＢＣＡでは「秋刀魚」、ＣＡＢでは「入道雲」のいずれかが選択される。大当り図柄が決定されると、次にリーチ乱数によりリーチ態様が決定される。
【手続補正１６】
【補正対象書類名】明細書
【補正対象項目名】００４６
【補正方法】変更
【補正の内容】
【００４６】
「０００」から「７７７」の数字からなる大当り図柄、及び、「桃太郎」「秋刀魚」「入道雲」の大当り図柄に対して、いずれかの図柄表示部に停止表示された図柄のみが異なる場合にはハズレとなるリーチが行なわれ、リーチ乱数によりリーチ態様が決定される。
【手続補正１７】
【補正対象書類名】明細書
【補正対象項目名】００４９
【補正方法】変更
【補正の内容】
【００４９】
３つの図柄表示部が中央に集まった後、あたかも盆踊りのように回転（図３（ｃ）参照）し、選択決定された位置関係にそれぞれの図柄列が順次配置（図３（ｄ）、（ｅ）、（ｆ）参照）される。
【手続補正１８】
【補正対象書類名】明細書
【補正対象項目名】００５０
【補正方法】変更
【補正の内容】
【００５０】
この停止位置変更に要する時間約４秒も含め、変動開始から変動固定時間としてセットされた時間が経過するまでは視認不能な高速状態で変動する。通常停止なり各種リーチは変動固定時間経過後の変動パターンが異なるもので、通常停止では直ちに図柄が停止動作に移行するのに対し、各種リーチでは大当りを期待させるような特殊なパターンで変動表示させながら最長２０秒程度の変動が行なわれる。
【手続補正１９】
【補正対象書類名】明細書
【補正対象項目名】００５２
【補正方法】変更
【補正の内容】
【００５２】
しかし、時短時は、始動記憶による変動の場合に、遊技球が第１種始動口スイッチを通過してから図柄の変動が開始されるまでの経過時間分を８．０秒から差し引いた時間を変動固定時間としてセットされる。ただし、経過時間が４．２秒を超えても、それ以上の短縮は行なわれず最低３．８秒が変動固定時間となる。ちなみに、時短時における停止位置変更に要する時間も最小の変動固定時間にも対応できるように約３秒に短縮されている。
【手続補正２０】
【補正対象書類名】明細書
【補正対象項目名】００５７
【補正方法】変更
【補正の内容】
【００５７】
このため、図柄表示部の停止位置がどの並びになるかで獲得できる利益の上限に差があり、遊技者からすれば大当りになるか否かの以前の段階として、変動開始直後に行なわれる図柄表示部の並び替えに興味を注ぐことになる。
【手続補正２１】
【補正対象書類名】明細書
【補正対象項目名】００５９
【補正方法】変更
【補正の内容】
【００５９】
そこで、第２の実施の形態では、第１の実施の形態の図柄表示部の並び替えが遊技者のボタン操作で決定されるようにすることで新たな興趣を醸し出すようにしたものである。
【手続補正２２】
【補正対象書類名】明細書
【補正対象項目名】００６０
【補正方法】変更
【補正の内容】
【００６０】
図１ないし図３を用いて第２の実施の形態の遊技機の動作を説明するが、第１の実施の形態と同様、特別図柄表示装置27が変動可能状態にあれば、特別図柄の変動を開始するとともに、画面上において表示位置の変更が行なわれる。図３に示されるように、前回の停止図柄を表示した状態（図３（ａ）参照）から各図柄表示部の図柄が変動状態に移ると共に、３つの図柄表示部が画面中央に集まった状態（図３（ｂ）参照）の画面に切り換え、時計回りの回転状態で保持（図３（ｃ）参照）される。
【手続補正２３】
【補正対象書類名】明細書
【補正対象項目名】００６１
【補正方法】変更
【補正の内容】
【００６１】
第１の実施の形態では自動的に位置修正が行なわれたが、第２の実施の形態では上受け皿５の右上に設けられた停止位置選択スイッチ１２（図１参照）を遊技者が操作するまでいつまでも回転状態が保持される。このため、表示画面には「停止スイッチを押して下さい」のメッセージをテロップ状に流すとともに、スイッチ横に設けてある操作可能報知ＬＥＤ１１（図１参照）を点灯させる。
【手続補正２４】
【補正対象書類名】明細書
【補正対象項目名】００６３
【補正方法】変更
【補正の内容】
【００６３】
１周０．９秒の速度で３つの図柄表示部が時計回りに回転しており、停止位置選択スイッチ１２が操作されたときに正面を向いている図柄表示部（１２時位置にある図柄表示部）がその後１周強回転した後に中央で固まった位置より正規の図柄表示位置のうちの左側位置に配置され、以下、回転方向順に出現する図柄表示部が中央位置、右側位置に順次配置される。
【手続補正２５】
【補正対象書類名】明細書
【補正対象項目名】００６４
【補正方法】変更
【補正の内容】
【００６４】
図柄表示部が所定の位置に着き終わった時点より４．０秒間が通常時の変動固定時間、時短時は、第１種始動口入賞と同時に変動が開始される場合は４．０秒が、始動記憶による変動の場合には、遊技球が第１種始動口スイッチを通過してから図柄の変動が開始されるまでの経過時間分を４．０秒から差し引いた時間を変動固定時間としてセットされる。ただし、経過時間が３．２秒を超えても、それ以上の短縮は行なわれず最低０．８秒が変動固定時間となる。
【手続補正２６】
【補正対象書類名】明細書
【補正対象項目名】００６６
【補正方法】変更
【補正の内容】
【００６６】
（第３の実施の形態）
また、各図柄表示部の停止位置を選択する過程を図柄の変動開始とともに最初に行なうのではなく、停止直前の最後に行なうようにすると、別の興趣が生まれる。
【手続補正２７】
【補正対象書類名】明細書
【補正対象項目名】００６７
【補正方法】変更
【補正の内容】
【００６７】
例えば、各図柄表示部に停止表示された図柄が、左側から「太」「郎」「桃」或いは「郎」「桃」「太」であったとする。上記第１の実施の形態のように始めに停止位置関係を決定する場合には、これらの場合はハズレとなるが、本実施の形態のようにそれぞれの図柄表示部における停止図柄が確定してから停止位置関係を決定するようにすれば、上記図柄も「桃太郎」の大当り図柄に並び替えられる可能性を持ち、あたかもハズレが救済されたごとく印象づけられて新たな興趣を醸し出す。
【手続補正２８】
【補正対象書類名】明細書
【補正対象項目名】００６８
【補正方法】変更
【補正の内容】
【００６８】
この場合、上記第１の実施の形態とは異なり、大当り図柄が１０種すべての中から一つが乱数にて選択決定され、決定された大当り図柄が表示されるように停止位置が自動的に決定される。
【手続補正２９】
【補正対象書類名】明細書
【補正対象項目名】００６９
【補正方法】変更
【補正の内容】
【００６９】
（第４の実施の形態）
さらに変化させていくと、３つの図柄表示部の並び替えをするのではなく、４つ以上の図柄表示部の中から３つを選択して配置するということも可能である。
【手続補正３０】
【補正対象書類名】明細書
【補正対象項目名】００７４
【補正方法】変更
【補正の内容】
【００７４】
【発明の効果】
以上のように請求項１に係る発明は、図柄表示部毎に複数の図柄を変動表示する複数の図柄表示部をもつ図柄表示装置を備え、該図柄表示装置の各図柄表示部に停止表示された図柄の組合せが予め定められた大当り図柄であった場合に遊技者に利益を付与する遊技機において、前記複数の図柄表示部を画面上を移動させて表示位置を変更する機能と、各図柄表示部が移動後に停止したときの位置関係を決定するための乱数とを備えており、前記大当り図柄として、移動後に停止した各図柄表示部に停止表示された図柄が同じ図柄の組合せからなる大当り図柄と、各図柄表示部に停止表示された図柄が少なくとも２種類の異なる図柄の組合せからなり、かつ、各図柄表示部の停止位置が特定の位置関係になった場合に各図柄表示部に停止表示された図柄の組合せ全体で１つの像が確定する大当り図柄とを有し、各図柄表示部を前記画面上を移動させて前記表示位置を変更した後に、遊技者のスイッチ操作があると、前記各図柄表示部は、前記乱数から抽出した値に対応して決定された位置関係に従って移動を停止し、前記各図柄表示部における図柄の変動表示を停止し、各図柄表示部において停止表示された各停止図柄によって図柄の組合せを表示することを特徴としたものであり、各図柄表示部に出現する図柄（図柄列）は予め定められた図柄（図柄列）であるにも拘わらず、移動後の停止位置関係が特定の関係となるときのみ大当り図柄が得られるという効果を有する。
また、遊技者のボタン操作があると、各図柄表示部は、乱数から抽出した値に対応して決定された位置関係に従って移動を停止するため、新たな興趣を醸し出すことができる。
【手続補正３１】
【補正対象書類名】明細書
【補正対象項目名】００７５
【補正方法】変更
【補正の内容】
【００７５】
また、請求項２に係る発明は、図柄の組合せには、同じ組合せでも、各図柄表示部の停止位置関係によって、図柄の組合せ全体で１つの像が確定する大当り図柄になったりハズレ図柄になったりする複数の組合せが存在するため、各図柄表示部の停止位置関係が特定の関係となるときのみ大当りとなる大当り図柄の複数の組合せが得られるという効果を有する。
【手続補正３２】
【補正対象書類名】明細書
【補正対象項目名】００７６
【補正方法】変更
【補正の内容】
【００７６】
さらに、請求項３に係る発明は、遊技者に付与される利益が前記像の種類によって異なるという効果を有する。
【手続補正３３】
【補正対象書類名】明細書
【補正対象項目名】００７７
【補正方法】削除
【補正の内容】
【手続補正３４】
【補正対象書類名】明細書
【補正対象項目名】００７８
【補正方法】削除
【補正の内容】
【手続補正３５】
【補正対象書類名】明細書
【補正対象項目名】００７９
【補正方法】削除
【補正の内容】
【手続補正３６】
【補正対象書類名】明細書
【補正対象項目名】００８０
【補正方法】削除
【補正の内容】
【手続補正３７】
【補正対象書類名】明細書
【補正対象項目名】符号の説明
【補正方法】変更
【補正の内容】
【符号の説明】
１  内枠
２  金枠
３  前面板
４  ガラス扉
５  上受け皿
６  下受け皿
７  発射ハンドル
８  鍵穴
９  鍵穴飾り
１０  枠飾り
１１  操作可能報知LED
１２  停止位置選択スイッチ
２１  ガイドレール
２２  遊技盤
２３  遊技領域
２４  アウト口
２５  センターケース
２６  天入賞口
２７  特別図柄表示装置
２８  普通図柄表示装置
２９  特別図柄記憶表示ＬＥＤ
３０  普通図柄記憶表示ＬＥＤ
３１  普通電動役物
３２  大入賞口
３３  左袖入賞口
３４  右袖入賞口
３５  変動入賞装置
３６  特定領域
３７  サイド飾り
３８  風車
３９  普通入賞口
４０  入賞ランプ
４１  球切れランプ
４２  コーナー飾り
４３  普通図柄作動ゲート